(57)【要約】【課題】  燃焼性が良好で燃焼時に煤発生が少なく、さらに現行タイプの家庭用燃焼機器に使用しても安定した燃焼状態を維持できる燃料油組成物を提供すること。【解決手段】  蒸留性状が、所定の初留点、５０％留出温度、７０％留出温度、９０％留出温度、９５％留出温度であり、硫黄分１０質量ｐｐｍ以下、飽和分７５〜９８容量％、芳香族分２〜２５容量％の組成から成り、前記飽和分含有割合の内の４５〜９５容量％がパラフィン類で、該パラフィン類中のイソパラフィン割合が１０容量％以上で、前記芳香族分含有割合の内の１．５容量％以下が２環以上の多環芳香族類で、残余が一環芳香族類であり、該一環芳香族類の７０容量％以上がアルキルベンゼン類である燃料油組成物。【選択図】  なし【特許請求の範囲】
【請求項１】
蒸留性状が初留点１３５〜１７０℃、５０％留出温度１６５〜２２０℃、７０％留出温度１７０〜２４０℃、９０％留出温度２１５〜２６５℃、９５％留出温度２３０〜２７０℃、硫黄分が１０質量ｐｐｍ以下の性状を有し、飽和分７５〜９８容量％、芳香族分２〜２５容量％の組成から成り、前記飽和分７５〜９８容量％の内の４５〜９５容量％がパラフィン類であり、該パラフィン類中のイソパラフィン割合が１０容量％以上であり、前記芳香族分２〜２５容量％の内の１．５容量％以下が２環以上の多環芳香族類であり、残余が一環芳香族類であり、該一環芳香族類の７０容量％以上がアルキルベンゼン類であることを特徴とする燃料油組成物。
【請求項２】
蒸留性状が初留点１３５〜１７０℃、５０％留出温度１６５〜２２０℃、７０％留出温度１７０〜２４０℃、９０％留出温度１８０〜２６５℃、９５％留出温度１８５〜２７０℃であるパラフィン系燃料油組成物と、蒸留性状が初留点１３５〜１７０℃、５０％留出温度１７５〜２２０℃、７０％留出温度１８５〜２４０℃、９０％留出温度２２０〜２６５℃、９５％留出温度２３５〜２７０℃であり、硫黄分が１０質量ｐｐｍ以下であり、飽和分７５〜９８容量％、芳香族分２〜２５容量％の組成から成る燃料油組成物とを含有することを特徴とする請求項１に記載の燃料油組成物。
【発明の詳細な説明】
【技術分野】
【０００１】
本発明は、主に家庭用石油ストーブに使用する燃料油組成物に関するものであり、燃焼性が良好で煤等の発生が少なく、さらには安定した燃焼状態を維持できる燃料油組成物を提供するものである。
【背景技術】
【０００２】
現在石油ストーブに使用されている灯油の種類と規格は、日本工業規格（ＪＩＳ  Ｋ  ２２０３）に示されており、その中でも１号灯油は、家庭用の暖房機器等に広く用いられている。灯油留分は主に、原油を常圧蒸留により所定の蒸留性状となるように分留することで得られる。次いで水素化脱硫装置により硫黄分が所定量以下となるように水素化精製される。さらに、灯油製造過程において、ストリッパにより軽質分を蒸発させることで引火点が４０℃以上となるように調整される。
【０００３】
上記のように石油ストーブに使用される灯油は、石油を精製することで製造されるが、芳香族分や微量に含まれる硫黄分に由来する臭気等があり、また芳香族分を多く含む灯油を石油ストーブ等に使用した場合、主に着・消火時において煤が発生すること等が懸念される。
パラフィン系の燃料油を使用すれば臭気は少なく、また燃焼性が良好であることから煤発生の恐れ等は低減できるが（例えば、特許文献１、特許文献２参照）、燃焼性が良すぎることにより、従来灯油を使用することを基準として設計されている現行の燃焼機器に対しては安定した燃焼が保てないという懸念が考えられる。
また、沸点、芳香族炭化水素含有量、硫黄分等を規定することで、灯油自体の臭気が少なく、石油ストーブ使用時の点火・消火時の臭気も少なく、取扱いにも優れた高性能灯油が提案されている（例えば、特許文献３参照）。しかしながら、この高性能灯油は、燃焼性について改善の余地がある。
【０００４】
【特許文献１】特開２００４−１８２８５４号公報
【特許文献２】特開昭６３−１５０３８０号公報
【特許文献３】特公平７−１０３３８４号公報
【発明の開示】
【発明が解決しようとする課題】
【０００５】
本発明は、上記従来技術に鑑みてなされたものであり、具体的には、燃焼性が良好で燃焼時における煤発生が少なく、さらに現行タイプの家庭用燃焼機器（主に石油ストーブ）に使用しても安定した燃焼状態を維持できる燃料油組成物を提供することを目的とする。
【課題を解決するための手段】
【０００６】
本発明者は、上記課題を解決するために鋭意検討を行った結果、灯油の組成及び蒸留性状を適正化することで、燃焼性が良好で煤の発生等が少なく、かつ石油ストーブに使用した際に安定した燃焼を保つことが可能になるという知見を得て本発明の燃料油組成物を完成するに至った。すなわち本発明は、以下に示す特徴を有する燃料油組成物を提供するものである。
【０００７】
（１）  蒸留性状が初留点１３５〜１７０℃、５０％留出温度１６５〜２２０℃、７０％留出温度１７０〜２４０℃、９０％留出温度２１５〜２６５℃、９５％留出温度２３０〜２７０℃、硫黄分が１０質量ｐｐｍ以下の性状を有し、飽和分７５〜９８容量％、芳香族分２〜２５容量％の組成から成り、前記飽和分７５〜９８容量％の内の４５〜９５容量％がパラフィン類であり、該パラフィン類中のイソパラフィン割合が１０容量％以上であり、前記芳香族分２〜２５容量％の内の１．５容量％以下が２環以上の多環芳香族類であり、残余が一環芳香族類であり、該一環芳香族類の７０容量％以上がアルキルベンゼン類であることを特徴とする燃料油組成物。
（２）  蒸留性状が初留点１３５〜１７０℃、５０％留出温度１６５〜２２０℃、７０％留出温度１７０〜２４０℃、９０％留出温度１８０〜２６５℃、９５％留出温度１８５〜２７０℃であるパラフィン系燃料油組成物と、蒸留性状が初留点１３５〜１７０℃、５０％留出温度１７５〜２２０℃、７０％留出温度１８５〜２４０℃、９０％留出温度２２０〜２６５℃、９５％留出温度２３５〜２７０℃であり、硫黄分が１０質量ｐｐｍ以下であり、飽和分７５〜９８容量％、芳香族分２〜２５容量％の組成から成る燃料油組成物とを含有することを特徴とする上記（１）に記載の燃料油組成物。
【発明の効果】
【０００８】
本発明による燃料油組成物は、煙点が高くて燃焼性が良好で煤の発生等がかなり抑えられることが推測される。さらに、石油ストーブに使用しても安定燃焼が可能で消火性にも優れる。したがって、本発明による燃料油組成物は実用上非常に有用である。
【発明を実施するための最良の形態】
【０００９】
以下に本発明の詳細を記載する。
本発明における燃料油組成物の蒸留性状は、初留点１３５〜１７０℃、５０％留出温度１６５〜２２０℃、７０％留出温度１７０〜２４０℃、９０％留出温度２１５〜２６５℃、９５％留出温度２３０〜２７０℃である。初留点が１７０℃より大きい場合、着火し難くなる可能性があり好ましくない。初留点が１３５℃より低い場合、引火点が低くなりＪＩＳ  Ｋ２２０３で定められる灯油の引火点規格値である４０℃を下回る可能性があり好ましくない。また５０％留出温度が２２０℃、７０％留出温度が２４０℃、９０％留出温度が２６５℃、９５％留出温度が２７０℃より大きい場合、着火し難く定常燃焼に至るまでに時間がかかる可能性があり、好ましくない。また５０％留出温度が１６５℃、７０％留出温度が１７０℃、９０％留出温度が２１５℃、９５％留出温度が２３０℃より低い場合、芯式・放射形石油ストーブ使用時において、炎を燃焼筒の上部から出さずに、燃焼筒を赤熱した状態に保つという安定した燃焼状態が保てず、また消火の際に鎮火し難くなる可能性があり、好ましくない。
また、本発明の燃料油組成物に含まれる硫黄分は１０質量ｐｐｍ以下である。硫黄分が１０質量ｐｐｍより多い場合、硫黄分に由来する臭気等が強くなる可能性があり、好ましくない。
なお、本発明における、蒸留性状はＪＩＳ  Ｋ２２５４の常圧法蒸留試験、硫黄分はＪＩＳ  Ｋ２５４１の微量電量滴定式酸化法により、それぞれ測定される。
【００１０】
本発明の燃料油組成物の組成は、飽和分７５〜９８容量％、芳香族分２〜２５容量％である。芳香族分が２５容量％を超え、飽和分が７５容量％未満の場合、煙点が低く燃焼性が不良で煤の発生につながる可能性があり好ましくない。燃焼性の面からは芳香族分は極力少ない方が良いが、燃焼性が良すぎる場合、現行タイプの家庭用燃焼機器（主に石油ストーブ）に使用した場合、安定燃焼を保ことができない可能性があるため、芳香族分は２容量％以上であることが好ましい。なおここでの飽和分及び芳香族分の含有割合は、ＪＰＩ−５Ｓ−４９−９７「石油製品−炭化水素タイプ試験方法−高速液体クロマトグラフ法」に基づいて求められる。
【００１１】
本発明の燃料油組成物において、パラフィン類含有割合は、上記飽和分７５〜９８容量％の内の４５〜９５容量％であり、この飽和分７５〜９８容量％の内の残余の３〜３０容量％はナフテン類である。パラフィン類の好ましい含有割合は４５〜９２容量％、さらに好ましい含有割合は４７〜９０容量％である。パラフィン類含有割合が４５容量％未満の場合、煙点が低く燃焼性が不良で煤の発生につながる可能性があり好ましくない。燃焼性の面からは飽和分中のパラフィン類割合は多い方が良いが、燃焼性が良すぎる場合、現行タイプの家庭用燃焼機器（主に石油ストーブ）に使用した場合、安定燃焼を保ことができない可能性があるため、パラフィン類含有割合は９５容量％以下であることが好ましい。
なおここでのパラフィン類含有割合は、高速液体クロマトグラフ法（ＨＰＬＣ）により燃料油組成物を芳香族分と飽和分に分画採取した後、飽和分をガスクロマトグラフ法−質量分析法（ＧＣ−ＭＳ）で分析し、ＡＳＴＭ Ｄ ２７８６に従って解析を行い飽和分中のアルカン類割合を算出し、ここで得られた割合を前述の方法で求めた飽和分割合に乗ずることで求められる。
【００１２】
本発明の燃料油組成物の、パラフィン類中のイソパラフィン割合は、１０容量％以上である。パラフィン類中のイソパラフィンが多い方が石油ストーブ使用時における安定燃焼の面で好ましい。ここで試料中のイソパラフィン割合は、まず上記方法で求めたパラフィン類割合から、ガスクロマトグラフ法（ＧＣ）により求めた試料中のｎ−パラフィン割合を差し引くことでイソパラフィン含有割合を求め、イソパラフィン割合とパラフィン類割合の比から求められる。
【００１３】
本発明の燃料油組成物では、２環以上の多環芳香族類の含有量が、上記芳香族分２〜２５容量％の内の１．５容％以下であり、その残余が一環芳香族類である。
２環以上の多環芳香族類含有量が１．５容量％以上の場合、煙点が低く燃焼性が不良で煤の発生につながる可能性があり好ましくない。
ここでの２環以上の多環芳香族類の含有割合は、ＪＰＩ−５Ｓ−４９−９７に基づき求められる。
【００１４】
さらに、本発明の燃料油組成物では、芳香族分の一環芳香族類の７０容量％以上がアルキルベンゼン類である。一環芳香族類中のアルキルベンゼン類が少なく、ナフテンベンゼン類、ジナフテンベンゼン類等が多い場合、煙点が低く燃焼性が不良で煤の発生につながる可能性があり好ましくない。芳香族類中の一環芳香族類のタイプ別分類は、高速液体クロマトグラフ法（ＨＰＬＣ）により燃料油組成物を芳香族分と飽和分に分画採取した後、芳香族分をガスクロマトグラフ法−質量分析法（ＧＣ−ＭＳ）で分析し、ＡＳＴＭ Ｄ ３２３９に従って解析を行い算出できる。ここで得られた芳香族類中のアルキルベンゼン割合と、ＪＰＩ−５Ｓ−４９−９７に基づき求めた一環芳香族類割合の比から、一環芳香族類中のアルキルベンゼン類割合が求められる。
【００１５】
上記性状を有する本発明の燃料油組成物は、所謂パラフィン系燃料油組成物の範疇に属する。
本発明の燃料油組成物の製造方法は、特に限定されるものではなく、種々の石油留分から、蒸留によりその蒸留性状を調整し、水素化脱硫処理、接触改質処理、芳香族抽出処理などの種々の処理によりその組成を調整して製造することができるが、次のような一定の性状を有するパラフィン系燃料油組成物に、次のような一定の性状を有する燃料油組成物を混合することによって好適に製造することができる。
【００１６】
すなわち、蒸留性状が初留点１３５〜１７０℃、５０％留出温度１６５〜２２０℃、７０％留出温度１７０〜２４０℃、９０％留出温度１８０〜２６５℃、９５％留出温度１８５〜２７０℃であるパラフィン系燃料油組成物に、蒸留性状が初留点１３５〜１７０℃、５０％留出温度１７５〜２２０℃、７０％留出温度１８５〜２４０℃、９０％留出温度２２０〜２６５℃、９５％留出温度２３５〜２７０℃であり、硫黄分が１０質量ｐｐｍ以下であり、飽和分７５〜９８容量％、芳香族分２〜２５容量％の組成から成る燃料油組成物を混合することにより、本発明の燃料油組成物を好適に製造することができる。このパラフィン系燃料油組成物と、それに混合する燃料油組成物の混合割合は、任意であり、両燃料油組成物の性状など必要に応じて適宜設定することができるが、一般に、パラフィン系燃料油組成物に対するそれに混合する燃料油組成物の容量比率にて２：９８〜９０：１０容量％が好ましく、さらに好ましくは５：９５〜８５：１５容量％である。
【００１７】
本発明において使用するパラフィン系燃料油組成物においては、蒸留性状が上記の通りであるが、初留点が１７０℃より高い場合、着火し難くなる可能性があり好ましくない。初留点が１３５℃より低い場合、引火点が低くなりＪＩＳ  Ｋ２２０３で定められる灯油の引火点規格値である４０℃を下回る可能性があり好ましくない。また５０％留出温度が２２０℃、７０％留出温度が２４０℃、９０％留出温度が２６５℃、９５％留出温度が２７０℃より高い場合、着火し難く定常燃焼に至るまでに時間がかかる可能性があり、好ましくない。また５０％留出温度が１６５℃、７０％留出温度が１７０℃、９０％留出温度が１８０℃、９５％留出温度が１８５℃より低い場合、例え蒸留性状及び組成を適正化した他の燃料油組成物を混合しても、芯式・放射形石油ストーブ使用時において、炎を燃焼筒の上部から出さずに、燃焼筒を赤熱した状態に保つという安定した燃焼状態が保てず、また消火の際に鎮火し難くなる可能性があり、好ましくない。
また、本発明において使用するパラフィン系燃料油組成物が、この蒸留性状を逸脱した場合、得られる目的の燃料油組成物にも同様の状況が生じる可能性があり好ましくない。
【００１８】
本発明において使用するパラフィン系燃料油組成物に混合する燃料油組成物においては、蒸留性状、硫黄分含有率、飽和分含有率、芳香族含有率が上記の通りであるが、初留点が１７０℃より高い場合、着火し難くなる可能性があり好ましくない。初留点が１３５℃より低い場合、引火点が低くなりＪＩＳ  Ｋ２２０３で定められる灯油の引火点規格値である４０℃を下回る可能性があり好ましくない。また５０％留出温度が２２０℃、７０％留出温度が２４０℃、９０％留出温度が２６５℃、９５％留出温度が２７０℃より高い場合、着火し難く定常燃焼に至るまでに時間がかかる可能性があり、好ましくない。また５０％留出温度が１７５℃、７０％留出温度が１８５℃、９０％留出温度が２２０℃、９５％留出温度が２３５℃より低い場合、パラフィン系燃料油組成物に混合した際に蒸留性状を適正化する効果が小さく、芯式・放射形石油ストーブ使用時において、炎を燃焼筒の上部から出さずに、燃焼筒を赤熱した状態に保つという安定した燃焼状態が保てず、また消火の際に鎮火し難くなる等の可能性があり、好ましくない。また硫黄分が１０質量ｐｐｍより多い場合、硫黄分に由来する臭気等が強くなる恐れがあり、好ましくない。さらに芳香族分が２５容量％を超え、飽和分が７５容量％未満、あるいは芳香族分が２容量％未満で、飽和分が９８容量％を越える場合、得られる目的の燃料油組成物の組成割合を、上記本発明の燃料油組成物の規定範囲に適合するように適正化する効果が小さく、好ましくない。
また、本発明において使用するパラフィン系燃料油組成物に混合する燃料油組成物が、この蒸留性状、各成分の含有率を逸脱した場合、得られる目的の燃料油組成物に上記と同様の状況が生じる可能性があり好ましくない。
【００１９】
上記製造方法で用いるパラフィン系燃料油組成物の例としては、上記蒸留性状を有する、市販のパラフィン系溶剤、それらの混合物、原油から誘導された石油留分を水素化脱硫処理し、芳香族抽出処理した後のラフィネート留分、あるいは合成ガスからフィッシャー・トロプシュ合成で得られたパラフィン系炭化水素類などが挙げられる。また、このパラフィン系燃料油組成物に混合する燃料油組成物の例としは、種々の石油留分から、蒸留によりその蒸留性状を調整し、水素化脱硫処理、接触改質処理、芳香族抽出処理などの種々の処理によりその組成を調整して製造された、上記性状を有する各種炭化水素留分が挙げられる。
【００２０】
本発明の燃料油組成物においては、必要に応じて種々の燃料油添加剤を適宜添加することができる。この燃料油添加剤としては、フェノール系、アミン系などの酸化防止剤、シッフ型化合物やチオアミド型化合物などの金属不活性剤、有機りん系化合物などの表面着火防止剤、琥珀酸イミド、ポリアルキルアミン、ポリエーテルアミンなどの清浄分散剤、多価アルコール及びそのエーテルなどの氷結防止剤、有機酸のアルカリ金属やアルカリ土類金属塩、高級アルコールの硫酸エステルなどの助燃剤、アニオン系界面活性剤、カチオン系界面活性剤、両性界面活性剤などの帯電防止剤、アルケニル琥珀酸エステルなどの錆止め剤、及びアゾ染料などの着色剤などの公知の燃料油添加剤が挙げられる。これらは、１種添加することも、複数種組み合わせて添加することもできる。また、これら燃料油添加剤の添加量は必要に応じて適宜設定することができる。
【００２１】
本発明の燃料油組成物は、所謂民生用暖房機器、例えば各種ストーブ類あるいは石油式給湯器などに好ましく用いることができ、中でも芯上下式石油ストーブ、石油ファンヒーターなどの開放式石油ストーブ用の燃料に適したものである。さらには、直火式の食品乾燥用燃料、工業用燃料、石油発動機用燃料、ソルベントなど各種用途にも好ましく使用できる。
【実施例】
【００２２】
以下に、本発明を実施例、比較例によりさらに具体的に説明する。なお本発明は、これらの例によって何ら制限されるものではない。
【００２３】
実施例、比較例において、引火点、蒸留性状、硫黄分、流動点、煙点は、ＪＩＳ Ｋ２２０３に定められる方法に準拠して測定を行なった。
また、石油ストーブを用いた燃焼性評価は下記方法により行なった。
＜燃焼性試験方法＞
芯式・放射型石油ストーブを用いて各種試料の安定燃焼可否を、燃焼中の燃焼状態、消火時の消化性のそれぞれにおいて目視にて評価する。評価基準を下記表１及び表２に示す。
評価に用いた石油ストーブは、ＣＯＲＯＮＡ，Ｐｏｒｔａｂｌｅ  Ｈｅａｔｅｒ，ＳＸ−２０００Ｘ（約５年使用したもの）である。
【００２４】
【表１】
2006131710.tif 000002
【００２５】
【表２】
2006131710.tif 000003
【００２６】
実施例、比較例における飽和分、芳香族分の割合は、ＪＰＩ−５Ｓ−４９−９７に基づいて測定を行った。ＨＰＬＣの装置構成及び分析条件を以下に示す。
装置：Agilent 1100 Series（ALS:G1329A, Bin Pump: G1312A, Degasser: G1379A, Rid: G1362A, Colcom: G1316A）
移動相：ｎ−ヘキサン
流量：１．０ｍｌ／ｍｉｎ
カラム：硝酸銀含浸シリカカラム（4.6mml.D.*70mmL. センシュー科学製 AgNO3-1071-Y）
アミン修飾カラム（4.0mml.D.*250mmL. ２本 センシュー科学製 LICHROSORB-NH2）
カラム温度：３５℃
試料濃度：１０容量％
注入量：５μｌ
【００２７】
また、飽和分、芳香族分のタイプ分析は下記方法で行なった。
まず、試料をＨＰＬＣにより飽和分と芳香族分とに分画後、飽和分、芳香族分それぞれについて、ＧＣ−ＭＳによりタイプ分析を行なった。ここで得られた分析結果を基に、飽和分はＡＳＴＭ Ｄ ２７８６に、芳香族分はＡＳＴＭ Ｄ ３２３９に従って解析を行い、飽和分中のパラフィン類、ナフテン類割合、さらには環数別ナフテン類割合、及び芳香族分中の環数別組成割合とアルキルベンゼン類の含有割合を求めた。
ここで得られた結果に基づき、ナフテン中の１環ナフテン類、３環以上ナフテン類割合、及び１環芳香族類中のアルキルベンゼン類割合を求めた。分析条件を下記に示す。
装置：ＨＰ−６８９０  ＨＰ５９７３  四重極質量分析計
カラム：ＤＢ−１：３０ｍ×０．２５ｍｍＩ．Ｄ．×０．２５μｍ
オーブン温度：４０℃（１ｍｉｎ）→１０℃／ｍｉｎ→２８０℃（５ｍｉｎ）
注入口温度：４３℃  Ｏｖｅｎ track  mode  ON
インターフェース温度：３００℃
キャリアガス：Ｈｅ：５５ＫＰａ  Constant flow mode ＯＮ
Ｓｏｌｖｅｎｔ Ｄｅｌａｙ：４．５ｍｉｎ
質量範囲：５０〜５００  Ｔｈｒｅｓｈｏｌｄ＝１００  Ｓａｍｐｌｉｎｇ♯３
イオン化電圧：７０ｅＶ
注入方法：オンカラム注入  ３．０μｌ（芳香族分）、１．０μｌ（飽和分）
【００２８】
上記方法で得られた飽和分割合と飽和分中のパラフィン類割合から、試料中のパラフィン含有割合を算出し、そこからｎ−パラフィン含有量を差し引くことで、試料中のイソパラフィン含有量を求めた。さらにこの結果に基づき、パラフィン中のイソパラフィン割合を算出した。ここで、ｎ−パラフィン含有量はＧＣにより分析を行なった。以下に測定条件を示す。
装置：5890 series２（Agilent Technologies）
カラム：Ultra 1 (Agilent)  Crosslinked Methyl Silicone Gum
50m×0.20mmI.D. 膜厚0.33μm
検出器：ＦＩＤ
オーブン温度：60℃(0min)−(6℃/min)→ 340℃(10min)  Run 56.7min
注入口：On-column
注入口温度：オーブントラックモード(オーブン温度＋３℃)
検出器温度：３５０℃
キャリアガス：Ｈｅ  280kPa (定圧)   1.3mL/min  線速度29.7cm/sec(at 60℃)
メイクアップガス：Ｈｅ
ＦＩＤ燃焼ガス：'H2 30 mL/min ,  Air 400mL/min
注入量：０．２μｌ
定量法：内標準法（内標準物質:フタル酸ジブチルエステル）
なお、化合物の種類が既知の溶剤等を混合した場合には、その混合割合に基づき計算を行い、最終的に得られた燃料油組成物中の、飽和分と芳香族分割合、パラフィン類含有割合、イソパラフィン含有割合、芳香族類中の環数別組成割合、アルキルベンゼン含有割合を算出した。
【００２９】
実施例１
純度９８．０容量％以上の市販ｎ−パラフィン溶剤を用いて、ｎ−Ｃ８：４．０容量％、ｎ−Ｃ９：２４．５容量％、ｎ−Ｃ１０：２４．０容量％、ｎ−Ｃ１１：２３．５容量％、ｎ−Ｃ１２：２２．５容量％、ｎ−Ｃ１３：１．５容量％の割合で混合し、蒸留性状が初留点１５２℃、５０％留出温度１８１℃、７０％留出温度１９２℃、９０％留出温度２０５℃、９５％留出温度２０９℃となるようにパラフィン系燃料油組成物を２５．０容量％調整し、そこに原油を常圧蒸留することで得られる沸点範囲１４９〜２７１℃、硫黄分０．１９質量％の直留灯油留分を脱硫処理により硫黄分１０質量ｐｐｍ以下にし、蒸留性状が初留点１４９℃、５０％留出温度１９８℃、７０％留出温度２１９℃、９０％留出温度２４５℃、９５％留出温度２５５℃、飽和分８２．８容量％、芳香族分１７．２容量％にした燃料油組成物を７５．０容量％配合した。
得られた燃料油組成物の性状及び評価結果を表３に示す。なお、ここで、「ｎ−Ｃ８」〜「ｎ−Ｃ１３」は、「炭素数８のｎ−パラフィン」〜「炭素数１３のｎ−パラフィン」を意味し、以下も同様である。
【００３０】
実施例２
純度９８．０容量％以上の市販ｎ−パラフィン溶剤を用いて、ｎ−Ｃ８：４．０容量％、ｎ−Ｃ９：２４．５容量％、ｎ−Ｃ１０：２４．０容量％、ｎ−Ｃ１１：２３．５容量％、ｎ−Ｃ１２：２２．５容量％、ｎ−Ｃ１３：１．５容量％の割合で混合することにより、蒸留性状が初留点１５２℃、５０％留出温度１８１℃、７０％留出温度１９２℃、９０％留出温度２０５℃、９５％留出温度２０９℃となるようにパラフィン系燃料油組成物を５０．０容量％調整し、そこに原油を常圧蒸留することで得られる沸点範囲１４９〜２７１℃、硫黄分０．１９質量％の直留灯油留分を脱硫処理により硫黄分１０質量ｐｐｍ以下にし、蒸留性状が初留点１４９℃、５０％留出温度１９８℃、７０％留出温度２１９℃、９０％留出温度２４５℃、９５％留出温度２５５℃、飽和分８２．８容量％、芳香族分１７．２容量％にした燃料油組成物を５０．０容量％配合した。
得られた燃料油組成物の性状及び評価結果を表３に示す。
【００３１】
実施例３
純度９８．０容量％以上の市販ｎ−パラフィン溶剤をそれぞれ、ｎ−Ｃ８：６．０容量％、ｎ−Ｃ９：１２．０容量％、ｎ−Ｃ１０：１１．０容量％、ｎ−Ｃ１１：５．５容量％、ｎ−Ｃ１２：８．５容量％、ｎ−Ｃ１３：６．０容量％、ｎ−Ｃ１４：１．０容量％の割合で、さらに、沸点範囲が１６６〜２１９℃である純度９８．０容量％以上の市販イソパラフィン溶剤を４２．５容量％、沸点範囲が２０２〜２６２℃である純度９８．０容量％以上の市販イソパラフィン溶剤を７．５容量％の割合でそれぞれ混合し、蒸留性状が初留点１４５℃、５０％留出温度１８６℃、７０％留出温度１９７℃、９０％留出温度２１６℃、９５％留出温度２２７℃となるようにパラフィン系燃料油組成物を５０．０容量％調整し、そこに原油を常圧蒸留することで得られる沸点範囲１４８〜２８１℃、硫黄分０．３１質量％の直留灯油留分を脱硫処理により硫黄分１０質量ｐｐｍ以下にし、蒸留性状が初留点１４８．５℃、５０％留出温度２０３℃、７０％留出温度２２２．５℃、９０％留出温度２４８．５℃、９５％留出温度２５８℃、飽和分８２．７容量％、芳香族分１７．３容量％にした燃料油組成物を５０．０容量％配合した。
得られた燃料油組成物の性状及び評価結果を表３に示す。
【００３２】
実施例４
純度９８．０容量％以上の市販ｎ−パラフィン溶剤をそれぞれ、ｎ−Ｃ８：４．５容量％、ｎ−Ｃ９：１６．０容量％、ｎ−Ｃ１０：１６．０容量％、ｎ−Ｃ１１：１４．５容量％、ｎ−Ｃ１２：１４．５容量％、ｎ−Ｃ１３：１２．５容量％、ｎ−Ｃ１４：１０．０容量％、ｎ−Ｃ１５：２．０容量％の割合で、さらに、沸点範囲が１６６〜２１９℃である純度９８．０容量％以上の市販イソパラフィン溶剤を７．５容量％、沸点範囲が２０２〜２６２℃である純度９８．０容量％以上の市販イソパラフィン溶剤を２．５容量％の割合でそれぞれ混合し、蒸留性状が初留点１５３℃、５０％留出温度１９５℃、７０％留出温度２１３℃、９０％留出温度２３２℃、９５％留出温度２３９℃であるパラフィン系燃料油組成物を７５．０容量％調整し、そこに原油を常圧蒸留することで得られる沸点範囲１４８〜２８１℃、硫黄分０．３１質量％の直留灯油留分を脱硫処理により硫黄分１０質量ｐｐｍ以下にし、蒸留性状が初留点１４８．５℃、５０％留出温度２０３℃、７０％留出温度２２２．５℃、９０％留出温度２４８．５℃、９５％留出温度２５８℃、飽和分８２．７容量％、芳香族分１７．３容量％にした燃料油組成物を２５．０容量％配合した。
得られた燃料油組成物の性状及び評価結果を表３に示す。
【００３３】
実施例５
純度９８．０容量％以上の市販ｎ−パラフィン溶剤をそれぞれ、ｎ−Ｃ８：４．５容量％、ｎ−Ｃ９：１６．０容量％、ｎ−Ｃ１０：１６．０容量％、ｎ−Ｃ１１：１４．５容量％、ｎ−Ｃ１２：１４．５容量％、ｎ−Ｃ１３：１２．５容量％、ｎ−Ｃ１４：１０．０容量％、ｎ−Ｃ１５：２．０容量％の割合で、さらに沸点範囲が１６６〜２１９℃である純度９８．０容量％以上の市販イソパラフィン溶剤を７．５容量％、沸点範囲が２０２〜２６２℃である純度９８．０容量％以上の市販イソパラフィン溶剤を２．５容量％の割合でそれぞれ混合し、蒸留性状が初留点１５３℃、５０％留出温度１９５℃、７０％留出温度２１３℃、９０％留出温度２３２℃、９５％留出温度２３９℃であるパラフィン系燃料油組成物を７５．０容量％調整し、そこに沸点範囲が１５７〜１７９℃である純度９９．０容量％以上の市販ナフテン系溶剤を２５．０容量％、沸点範囲が２０１〜２１７℃である純度９９．０容量％以上の市販ナフテン系溶剤を２５．０容量％、沸点範囲が２２１〜２４０℃である純度９９．０容量％以上の市販ナフテン系溶剤を２５．０容量％、さらに市販の特級キシレンを５．０容量％、沸点範囲が１６１〜１７９℃である純度９９．０容量％以上の市販芳香族系溶剤を２．５容量％、沸点範囲が１９６〜２５０℃である純度９９．０容量％以上の市販芳香族系溶剤を１７．５容量％配合することで得られる蒸留性状が初留点１６５℃、５０％留出温度２００℃、７０％留出温度２１５℃、９０％留出温度２２２℃、９５％留出温度２３７℃、硫黄分１質量ｐｐｍ以下、飽和分７５容量％、芳香族分２５容量％にした燃料油組成物を２５．０容量％配合した。
得られた燃料油組成物の性状及び評価結果を表３に示す。
【００３４】
比較例１
純度９８．０容量％以上の市販ｎ−パラフィン溶剤を用いて、ｎ−Ｃ８：４．０容量％、ｎ−Ｃ９：２４．５容量％、ｎ−Ｃ１０：２４．０容量％、ｎ−Ｃ１１：２３．５容量％、ｎ−Ｃ１２：２２．５容量％、ｎ−Ｃ１３：１．５容量％の割合で混合し、蒸留性状が初留点１５２℃、５０％留出温度１８１℃、７０％留出温度１９２℃、９０％留出温度２０５℃、９５％留出温度２０９℃となるようにパラフィン系燃料油組成物を調整し、他の燃料油組成物は配合しなかった。
得られた燃料油組成物の性状及び評価結果を表４に示す。
【００３５】
比較例２
純度９８．０容量％以上の市販ｎ−パラフィン溶剤を用いて、ｎ−Ｃ８：４．０容量％、ｎ−Ｃ９：２４．５容量％、ｎ−Ｃ１０：２４．０容量％、ｎ−Ｃ１１：２３．５容量％、ｎ−Ｃ１２：２２．５容量％、ｎ−Ｃ１３：１．５容量％の割合で混合し、蒸留性状が初留点１５２℃、５０％留出温度１８１℃、７０％留出温度１９２℃、９０％留出温度２０５℃、９５％留出温度２０９℃となるようにパラフィン系燃料油組成物を調整し、そこに原油を常圧蒸留することで得られる沸点範囲１４９〜２７１℃、硫黄分０．１９質量％の直留灯油留分を脱硫処理により硫黄分１０質量ｐｐｍ以下にした燃料油組成物を１０．０容量％配合した。
得られた燃料油組成物の性状及び評価結果を表４に示す。
【００３６】
比較例３
純度９８．０容量％以上の市販ｎ−パラフィン溶剤を用いて、ｎ−Ｃ８：４．０容量％、ｎ−Ｃ９：２４．５容量％、ｎ−Ｃ１０：２４．０容量％、ｎ−Ｃ１１：２３．５容量％、ｎ−Ｃ１２：２２．５容量％、ｎ−Ｃ１３：１．５容量％の割合で混合し、蒸留性状が初留点１５２℃、５０％留出温度１８１℃、７０％留出温度１９２℃、９０％留出温度２０５℃、９５％留出温度２０９℃となるようにパラフィン系燃料油組成物を調整し、そこに原油を常圧蒸留することで得られる沸点範囲１４５〜２４５℃、硫黄分０．１５質量％の直留灯油留分を脱硫処理により硫黄分１０質量ｐｐｍ以下にした燃料油組成物を５０．０容量％配合した。
得られた燃料油組成物の性状及び評価結果を表４に示す。
【００３７】
比較例４
純度９８．０容量％以上の市販ｎ−パラフィン溶剤を用いて、ｎ−Ｃ８：５．０容量％、ｎ−Ｃ９：２０．０容量％、ｎ−Ｃ１０：２０．０容量％、ｎ−Ｃ１１：１８．５容量％、ｎ−Ｃ１２：１７．５容量％、ｎ−Ｃ１３：１０．０容量％、ｎ−Ｃ１４：７．５容量％、ｎ−Ｃ１５：１．５容量％の割合で混合し、蒸留性状が初留点１４５℃、５０％留出温度１９０℃、７０％留出温度２０４℃、９０％留出温度２２０℃、９５％留出温度２３０℃となるようにパラフィン系燃料油組成物を調整し、そこに市販の特級キシレンを２０．０容量％、沸点範囲が１６１〜１７９℃である純度９９．０容量％以上の市販芳香族系溶剤を１０．０容量％、沸点範囲が１９６〜２５０℃である純度９９．０容量％以上の市販芳香族系溶剤を７０．０容量％配合することにより得られた燃料油組成物を７．５容量％配合した。
得られた燃料油組成物の性状及び評価結果を表４に示す。
【００３８】
比較例５
純度９８．０容量％以上の市販ｎ−パラフィン溶剤を用いて、ｎ−Ｃ８：４．０容量％、ｎ−Ｃ９：２４．５容量％、ｎ−Ｃ１０：２４．０容量％、ｎ−Ｃ１１：２３．５容量％、ｎ−Ｃ１２：２２．５容量％、ｎ−Ｃ１３：１．５容量％の割合で混合し、蒸留性状が初留点１５２℃、５０％留出温度１８１℃、７０％留出温度１９２℃、９０％留出温度２０５℃、９５％留出温度２０９℃となるようにパラフィン系燃料油組成物を調整し、そこに市販の特級キシレンを２０．０容量％、沸点範囲が１６１〜１７９℃である純度９９．０容量％以上の市販芳香族系溶剤を５．０容量％、沸点範囲が１９６〜２５０℃である純度９９．０容量％以上の市販芳香族系溶剤を７５．０容量％配合することで得られる燃料油組成物を５０．０容量％配合した。
得られた燃料油組成物の性状及び評価結果を表４に示す。
【００３９】
比較例６
純度９８．０容量％以上の市販ｎ−パラフィン溶剤を用いて、ｎ−Ｃ８：５．５容量％、ｎ−Ｃ９：１４．５容量％、ｎ−Ｃ１０：１３．５容量％、ｎ−Ｃ１１：１３．０容量％、ｎ−Ｃ１２：１３．５容量％、ｎ−Ｃ１３：５．５容量％、ｎ−Ｃ１４：３．０容量％、ｎ−Ｃ１５：１．０容量％の割合で、さらに沸点範囲が１６６〜２１９℃である純度９８．０容量％以上の市販イソパラフィン溶剤を２３．０容量％、沸点範囲が２０２〜２６２℃である純度９８．０容量％以上の市販イソパラフィン溶剤を７．５容量％の割合で混合し、蒸留性状が初留点１４７℃、５０％留出温度１９２℃、７０％留出温度２０５℃、９０％留出温度２２０℃、９５％留出温度２２８℃となるようにパラフィン系燃料油組成物を調整し、そこに市販の特級キシレンを１６．０容量％、市販の１級テトラリンを１８．０容量％、沸点範囲が１６１〜１７９℃である純度９９．０容量％以上の市販芳香族系溶剤を４．０容量％、沸点範囲が１９６〜２５０℃である純度９９．０容量％以上の市販芳香族系溶剤を６２．０容量％配合することで得られる燃料油組成物を３７．５容量％配合した。
得られた燃料油組成物の性状及び評価結果を表４に示す。
【００４０】
比較例７
純度９８．０容量％以上の市販ｎ−パラフィン溶剤を用いて、ｎ−Ｃ８：４．０容量％、ｎ−Ｃ９：２４．５容量％、ｎ−Ｃ１０：２４．０容量％、ｎ−Ｃ１１：２３．５容量％、ｎ−Ｃ１２：２２．５容量％、ｎ−Ｃ１３：１．５容量％の割合で混合し、蒸留性状が初留点１５２℃、５０％留出温度１８１℃、７０％留出温度１９２℃、９０％留出温度２０５℃、９５％留出温度２０９℃となるようにパラフィン系燃料油組成物を調整し、そこに沸点範囲が１５７〜１７９℃である純度９９．０容量％以上の市販ナフテン系溶剤を２５．０容量％、沸点範囲が２０１〜２１７℃である純度９９．０容量％以上の市販ナフテン系溶剤を２５．０容量％、沸点範囲が２２１〜２４０℃である純度９９．０容量％以上の市販ナフテン系溶剤を２５．０容量％、さらに市販の特級キシレンを３．０容量％、沸点範囲が１６１〜１７９℃である純度９９．０容量％以上の市販芳香族系溶剤を１．５容量％、沸点範囲が１９６〜２５０℃である純度９９．０容量％以上の市販芳香族系溶剤を１０．５容量％、市販の特級１メチルナフタレンを１０．０容量％配合することで得られる燃料油組成物を８５．０容量％配合した。
得られた燃料油組成物の性状及び評価結果を表４に示す。
【００４１】
比較例８
沸点範囲が１５７〜１７９℃である純度９９．０容量％以上の市販ナフテン系溶剤を２５．０容量％、沸点範囲が２０１〜２１７℃である純度９９．０容量％以上の市販ナフテン系溶剤を２５．０容量％、沸点範囲が２２１〜２４０℃である純度９９．０容量％以上の市販ナフテン系溶剤を２５．０容量％、さらに市販の特級キシレンを１．６容量％、沸点範囲が１６１〜１７９℃である純度９９．０容量％以上の市販芳香族系溶剤を０．８容量％、沸点範囲が１９６〜２５０℃である純度９９．０容量％以上の市販芳香族系溶剤を５．６容量％、市販の１級テトラリンを１７．０容量％配合することで燃料油組成物を得た。
得られた燃料油組成物の性状及び評価結果を表４に示す。
【００４２】
【表３】
2006131710.tif 000004
【００４３】
【表４】
2006131710.tif 000005
【００４４】
パラフィン類１００％で、蒸留性状が本発明で定められる範囲より軽質である比較例１は、煙点は極めて高いが、芯式・放射型石油ストーブによる燃焼性試験において安定燃焼ができず、消火し難い結果となった。芳香族分割合が非常に少なく、パラフィン類含有割合が比較的多く、パラフィン類中のイソパラフィン割合が少なく、蒸留性状が本発明で定められる範囲より軽質である比較例２も、煙点は非常に高い結果となったが、芯式・放射型石油ストーブによる燃焼性試験において安定燃焼ができず、消火し難い結果となった。また芳香族分割合、パラフィン類含有割合及びパラフィン類中のイソパラフィン割合は本発明の規定を満たすが、蒸留性状が本発明で定められる範囲より軽質である比較例３も、煙点は比較的高いが、芯式・放射型石油ストーブによる燃焼性試験において安定燃焼ができない結果となった。さらに、蒸留性状及び芳香族分含有量は本発明の規定範囲を満たすが、パラフィン類含有割合が比較的多く、パラフィン類中にイソパラフィンを含まない比較例４も、煙点は高いが芯式・放射型石油ストーブによる燃焼性試験において赤熱に偏りがあり、消火し難い結果となった。
芳香族分割合が多く、２環以上の芳香族類含有割合が多い比較例５と、さらに１環芳香族類中のアルキルベンゼン類割合が少ない比較例６は、煙点が低く燃焼性が不良な結果となった。さらに、芳香族分割合は本発明の規定範囲を満たすが、パラフィン類含有割合が少なく、２環以上の芳香族類含有割合が多い比較例７も煙点が２３ｍｍ未満であり、燃焼性が不良な結果となった。そして、芳香族分含有割合及び２環以上の芳香族類含有割合は本発明の規定範囲を満たすが、一環芳香族類中のアルキルベンゼン類割合が非常に少ない比較例８も煙点が低く燃焼性が不良な結果となった。
一方、本発明の規定を全て満たす実施例１〜５は、煙点が高いことから燃焼性に優れ、さらに芯式・放射型石油ストーブによる燃焼性試験においても安定した燃焼を示し、消火性も特に問題はない結果であった。